(57)【要約】【課題】最小限の部品点数、少ない工数、低い部品コストにより、容易に安定したスイッチユニットをもつ筐体ユニットを提供する。【解決手段】部品取付のための凸部をもつパネル形状の本体ユニット部１１と、この凸部に嵌合される第１孔領域１６−１と、第１孔領域に連続しており凸部が嵌合しながら移動して固定されるための第２孔領域１６−２と、第１孔領域と第２孔領域との間に設けられ凸部を第２孔領域に固定するため第１孔領域の孔幅よりも狭い孔幅をもつ固定領域１７とをもつ孔部１６を有するスイッチユニット部１３とをもつ筐体ユニット。【選択図】図１
2007035460.tif 000002
【特許請求の範囲】
【請求項１】
部品取付のための凸部をもつ本体ユニット部と、
前記本体ユニット部の前記凸部に嵌合される第１孔領域と、前記第１孔領域に連続しており前記凸部が嵌合しながら移動して固定されるための第２孔領域と、前記第１孔領域と前記第２孔領域との間に設けられ前記凸部を前記第２孔領域に固定するため前記第１孔領域の孔幅よりも狭い孔幅をもつ固定領域とをもつ孔部を有するスイッチユニット部と、
を具備することを特徴とする筐体ユニット。
【請求項２】
前記スイッチユニット部は、スイッチ部を有しており、前記本体ユニットは、スイッチ孔を有しており、前記スイッチ部は、前記本体ユニットの背面から前記スイッチ孔を貫通して、前記本体ユニットの正面から押下可能に露出するべく前記本体ユニットに装着されることを特徴とする請求項１記載の筐体ユニット。
【請求項３】
前記本体ユニット部は、複数の凸部をもち、
前記スイッチユニット部は、複数のスイッチ部と複数の孔部とをもつことを特徴とする請求項１記載の筐体ユニット。
【請求項４】
前記本体ユニット部は、所定数の凸部をもち、
前記スイッチユニット部は、前記所定数のスイッチ部と前記所定数の孔部とをもつことを特徴とする請求項１記載の筐体ユニット。
【請求項５】
前記第１孔部領域は、前記第２孔部領域と同等の大きさをもつことを特徴とする請求項１記載の筐体ユニット。
【請求項６】
前記スイッチユニット部と前記本体ユニット部に形成された突起部との間に挿入され、前記スイッチユニット部が有するスイッチ部に密着して設置されるスイッチ素子をもつ基板を更に有することを特徴とする請求項１記載の筐体ユニット。
【請求項７】
部品取付のための凸部をもつ本体ユニット部と、
この本体ユニット部に取り付けられるスイッチユニット部とを具備する筐体ユニットにおいて、
スイッチユニット部は前記本体ユニット部の前記凸部が挿入される第１孔領域と、この前記第１孔領域に連続して形成されスイッチユニット部の移動に伴って前記凸部が嵌合される第２孔領域と、前記第１孔領域と前記第２孔領域との間に設けられ前記凸部を前記第２孔領域に固定するため前記第１孔領域と前記第２孔領域との間の孔幅を狭くする突起部とを有することを特徴とする筐体ユニット。
【発明の詳細な説明】
【技術分野】
【０００１】
この発明は、筐体ユニットに関し、特に、本体ユニットに取り付けるための取付孔を有するスイッチユニットを有する筐体ユニットに関する。
【背景技術】
【０００２】
従来装置において、本体側ユニットにスイッチユニットを取り付けることは、装置の構造として一般的なものである。特許文献１は、キャビネットにスイッチノブが装着されているが、ここではネジが用いられて固定されていることが示されている。
【特許文献１】特開２００１−５３４６４公報。
【発明の開示】
【発明が解決しようとする課題】
【０００３】
しかし、パネルに用いられるスイッチユニットにおいては、単にネジ止めを行なうと工数や部品点数が増え、又、部品コストも嵩むという問題がある。
【０００４】
本発明は、最小限の部品点数、少ない工数、低い部品コストにより、容易に安定したスイッチユニットをもつ筐体ユニットを提供することを目的とする。
【課題を解決するための手段】
【０００５】
本発明の一実施形態は、部品取付のための凸部をもつパネル形状の本体ユニット部（１１）と、前記本体ユニット部の前記凸部に嵌合される第１孔領域（１６−１）と、前記第１孔領域に連続しており前記凸部が嵌合しながら移動して固定されるための第２孔領域（１６−２）と、前記第１孔領域と前記第２孔領域との間に設けられ前記凸部を前記第２孔領域に固定するため前記第１孔領域の孔幅よりも狭い孔幅をもつ固定領域（１７）とをもつ孔部（１６）を有するスイッチユニット部（１３）とを具備することを特徴とする筐体ユニットである。
【発明の効果】
【０００６】
最小限の部品点数、少ない工数、低い部品コストにより、容易に安定したスイッチユニットをもつ筐体ユニットを提供する。
【発明を実施するための最良の形態】
【０００７】
以下、この発明の実施の形態について図面を参照して詳細に説明する。  
図１は、本発明の一実施形態に係るスイッチユニットを有する本体ユニットの一例の外観を示す外観図、図２は、同じくスイッチユニットを有する本体ユニットの一例の外観を示す分解図、図３は、同じくスイッチユニットの一例の外観図、図４は、同じくスイッチユニットの一例の正面図及び拡大図、図５は、同じくスイッチユニットの本体ユニットへの取付図、図６は、同じくスイッチユニットの本体ユニットへの取付の一例を示す断面図、図７は、同じくスイッチユニットと本体ユニットへ基板を取り付けた場合の一例を示す断面図、図８は、同じくスイッチユニットの嵌合穴の一例を説明する説明図である。
【０００８】
（構成）
初めに、本発明に係る電子装置１は、以下の実施形態においては、例えば、ディスプレイ等を例に挙げて図面を用いて以下に説明するが、本発明に係る筐体ユニットは、ディスプレイに限らず、スイッチユニットを取り付ける電子装置の筐体であれば、同等の作用効果を発揮するものである。本発明に係る電子装置１は、図１乃至図２に示すように、パネルユニット１１と、これに接合するバックカバー１２と、パネルユニット１１に嵌め込み可能なスイッチユニット１３とを有している。
【０００９】
又、更に、本発明の一実施形態であるスイッチユニット１３は、図３の（ａ）及び（ｂ）乃至図４の（ａ）及び（ｂ）に示すように、複数のスイッチ部１４と、これに対応した複数のスイッチ基部１５と、複数のスイッチ基部１５に設けられた複数の取付孔１６とを有している。
【００１０】
ここで、複数の取付孔１６は、様々な形状が可能であるが、少なくとも突起形状１７が存在し、この突起形状１７により取付孔は、第１領域１６−１と第２領域１６−２とに分けることが可能とである。又、ここで、固定領域である突起形状１７により、ここでの孔幅は、第１領域１６−１と第２領域１６−２との孔幅よりも狭いことを特徴としている。しかし、突起形状１７による孔幅は、少なくとも、第１領域１６−１より狭く、第２領域１６−２と同等の孔幅であっても、同様の固定機能をもたせることが可能である。
【００１１】
（嵌合）
すなわち、スイッチユニット１３は、このような取付孔１６を持つことにより、図５の（ａ）乃至（ｄ）及び図６の（ａ）乃至（ｃ）に示すように、特に、新たな接続のための冶具を必要とすることなく、パネルユニット１１に容易に装着することができる。
【００１２】
ここで、注目すべきは、スイッチユニット１３は、図６の（ａ）の断面図に示すように、パネルユニット１１への二段階の装着を行わなければならない。
【００１３】
一つは、パネルユニット１１のピン１１−２と、取付孔１６との嵌合である。  
二つは、パネルユニット１１のスイッチ孔１１−１と、スイッチ部１４との嵌合である。
【００１４】
このような二つの嵌合は、一度に行なうことはできず、順番に行わなければならない。初めは、図６の（ａ）のように、パネルユニット１１のピン１１−２と取付孔１６との嵌合を行なう。
【００１５】
次に、図６の（ｂ）の移動方向に沿ってスイッチユニット１３を移動することで、ピン１１−２が取付孔１６の第１領域１６−１から第２領域１６−２に移動する。そして、（ｃ）のように、突起形状１７の働きにより、ピン１１−２が第２領域１６−２に固定して安定するものである。この時、スイッチ部１４は、パネルユニット１１のスイッチ孔１１−１に嵌合するものである。
【００１６】
このような突起形状１７と第１領域１６−１、第２領域１６−２とをもつ取付孔１６を持つスイッチユニット１３と、ピン１１−２や、取付孔１１−１をもったパネルユニット１１をもつことで、特別な冶具を必要とせず、最小限の部品点数、少ない工数、低い部品コストにより、容易に安定したスイッチユニットの取り付けが可能となるものである。
【００１７】
更に、図７においては、パネルユニット１１に設けたエンボス部Ｂとスイッチユニット１３との間に、電子基板Ｐを設置した実施形態が示されている。ここで、電子基板Ｐ上には、スイッチ素子ＳＵが設けられており、スイッチ部１４がこのスイッチ素子ＳＵに密着した形で設置されるものである。このように、電子基板Ｐが設置されることにより、パネルユニット１１とスイッチユニット１３とは、一層安定して固定されるものである。
【００１８】
（その他の実施形態）
本発明に係るスイッチユニット１３等は、上述した実施形態に限らず、例えば、図８の（ａ）乃至（ｃ）に示す形状の取付孔であってもよい。すなわち、（ａ）の取付孔２１においては、突起形状２１−１を有しており、鍵形であるといえる。又、（ｂ）の取付孔２１においては、第１領域が第２領域よりも大きく、又、突起形状２２−１を有しており、だるま型であるといえる。又、（ｃ）の取付孔２３は、方形の孔部に突起形状２３−１を有しており、方形型であると言える。このような形状の取付孔であっても、同様に、最小限の部品点数、少ない工数、低い部品コストにより、容易に安定したスイッチユニットをもつパネルユニットを提供することが可能となるものである。
【００１９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００２０】
【図１】本発明の一実施形態に係るスイッチユニットを有するパネルユニットの一例の外観を示す外観図。
【図２】本発明の一実施形態に係るスイッチユニットを有するパネルユニットの一例の外観を示す分解図。
【図３】本発明の一実施形態に係るスイッチユニットの一例の外観図。
【図４】本発明の一実施形態に係るスイッチユニットの一例の正面図及び拡大図。
【図５】本発明の一実施形態に係るスイッチユニットのパネルユニットへの取付図。
【図６】本発明の一実施形態に係るスイッチユニットのパネルユニットへの取付の一例を示す断面図。
【図７】本発明の一実施形態に係るスイッチユニットとパネルユニットへ基板を取り付けた場合の一例を示す断面図。
【図８】本発明の一実施形態に係るスイッチユニットの嵌合穴の一例を説明する説明図。
【符号の説明】
【００２１】
１…ディスプレイ装置、１１…パネルユニット、１２…バックカバー、１３…スイッチユニット、１４…スイッチ部、１５…スイッチ基部、１６…取付孔、１７…突起形状。
【図１】
2007035460.tif 000003
【図２】
2007035460.tif 000004
【図３】
2007035460.tif 000005
【図４】
2007035460.tif 000006
【図５】
2007035460.tif 000007
【図６】
2007035460.tif 000008
【図７】
2007035460.tif 000009
【図８】
2007035460.tif 000010